(57)【要約】【課題】  インバータによるランプ制御において、簡単な構成で各ライン周期内の積算光量の変動を無くし縞状むら等の発生を抑え、光量の最適化を図る。【解決手段】  インバータの出力パルスで駆動されるランプの光波形はライン同期信号ＴＧ‐ＩＮＶと同期をとる。各ラインに点灯休止ＧＡＴＥ信号を入力し、休止期間はインバータ出力を停止することでライン周期の光量（積分値）を制御する。ＧＡＴＥはＴＧ‐ＩＮＶの立上げで有効化し、休止期間の開始時に立ち下げる。インバータのＯＮ  Ｄｕｔｙ固定としておき、休止期間の開始時の設定は（点灯パルス数＋１／２パルス）とするパルス数によって設定し、点灯パルス数を調整してライン周期に必要となる光量を決める。【選択図】          図８
2005167648.tif 000002
【特許請求の範囲】
【請求項１】
ラインイメージセンサのライン同期信号に同期させた駆動パルスを出力するインバータによって点灯制御される露光ランプで原稿を照明し、該ラインイメージセンサにより読み取った画像信号を処理する画像処理装置であって、ライン周期内における必要光量を得るためにインバータの点灯周波数に応じたランプ休止期間を設定する休止期間設定手段と、設定された休止期間にインバータからの駆動パルス出力を停止させるゲート手段を備えたことを特徴とする画像処理装置。
【請求項２】
請求項１に記載された画像処理装置において、前記休止期間設定手段は、ライン同期信号を基準にインバータの発振パルス数に対応する期間を前記ランプ休止期間として設定する手段であることを特徴とする画像処理装置。
【請求項３】
請求項１又は２に記載された画像処理装置において、前記休止期間設定手段は、ランプ休止期間を期間の開始により定める手段であることを特徴とする画像処理装置。
【請求項４】
請求項１乃至３のいずれかに記載された画像処理装置において、前記休止期間設定手段は、ランプ休止期間を期間の終了により定める手段であることを特徴とする画像処理装置。
【請求項５】
請求項１乃至４のいずれかに記載された画像処理装置において、原稿読み取り手段が異なるライン周期による読み取り動作が可能な手段であり、前記休止期間設定手段は、指定されたライン周期による読み取り動作条件に対応してランプ休止期間を設定する手段であることを特徴とする画像処理装置。
【請求項６】
請求項１乃至５のいずれかに記載された画像処理装置において、ラインイメージセンサが異なる変換条件による読み取りが可能なセンサであり、前記休止期間設定手段は、指定された変換条件に対応してランプ休止期間を設定することを特徴とする画像処理装置。
【請求項７】
請求項１乃至６のいずれかに記載された画像処理装置において、露光ランプで照明された原稿面照度を検出する手段を備え、前記休止期間設定手段は、検出された原稿面照度をもとに必要光量を求め、求めた必要光量をもとにランプ休止期間を設定する手段であることを特徴とする画像処理装置。
【請求項８】
請求項７に記載された画像処理装置において、前記原稿面照度を検出する手段を所定の時間単位で検出を行う手段としたことを特徴とする画像処理装置。
【請求項９】
請求項７又は８に記載された画像処理装置において、前記原稿面照度を検出する手段を原稿或いはライン単位で検出を行う手段とし、前記休止期間設定手段は、検出結果に従いライン毎にランプ休止期間を設定する手段であることを特徴とする画像処理装置。
【発明の詳細な説明】
【技術分野】
【０００１】
本発明は、露光ランプにより照射される原稿をラインイメージセンサにより読み取り、その画像信号を処理する画像処理装置（例えば、イメージスキャナ、ファクシミリ、複写機など）に関し、ライン同期信号に同期させた駆動パルスを出力するインバータによって点灯制御される露光ランプで原稿を照明する際のライン単位の光量制御に関する。
【背景技術】
【０００２】
従来からイメージスキャナ、複写機などに用いられている画像読取装置では、ラインイメージセンサによる原稿読み取りが行われ、読取時には原稿を露光ランプで照明する。その際、必要な光量を照射するために、インバータによるランプの点灯制御が行われる。インバータによるランプの点灯制御の一例として下記特許文献１を挙げることができる。特許文献１では、ランプの照度を安定化させるために、入力電圧の変動の影響を受けないようにし、又複数のランプを相互に位相をずらしたパルスで駆動することによりランプを個別に点灯する等の方法をインバータ回路によって実現する、としている。
また、イメージスキャナ等の原稿読取はラスタ走査方式であり、ラインイメージセンサは所定の読取周期で読取動作を行うが、インバータ制御によるランプを照明光源として用いる場合に、各ラインの読取周期と光量制御周期（ランプ点灯周期）が非同期であるために、１ライン周期に対してランプ点灯周期が十分に小さくない場合には、１ライン周期の中に入るランプ点灯パルス数が各ライン毎にバラツキ、そのバラツキにより各ライン毎の積算光量に差が生じて、読取画像の縞状のむらや色むらが発生していた。
こうした光量の差による縞状のむら等をなくすために提案された手法の一つとして、下記特許文献２を挙げることができる。特許文献２では、ランプに給電する給電装置のインバータの発振器を周波数可変発振器とし、該周波数可変発振器からの発振信号を外部同期信号に位相ロックするように周波数可変発振器を制御することにより、光量変動を伴うことなく誘電体バリア放電蛍光ランプを外部同期信号に同期させて発光させている。
【特許文献１】特開２００１−２７３９９６号公報
【特許文献２】特開２０００−３２３２９２号公報
【発明の開示】
【発明が解決しようとする課題】
【０００３】
しかしながら、上記特許文献１に示す周波数を可変させ同期させて発光させる方法は、ランプ点灯周波数が可変するのでランプの最適な点灯条件（点灯周波数）から外れる可能があり、各ライン周期内の光量の変動を充分に抑えることが可能ではない上に、回路構成も複雑になるという問題点がある。
本発明は、上記した従来技術の問題点に鑑み、これを解決するためになされたもので、その解決課題は、周波数可変発振器からの発振信号を外部同期信号に位相ロックするように周波数可変発振器のフィードバック制御を行う従来技術のような複雑な構成をとることなく、簡単な構成で各ライン周期内の積算光量の最適化を図ることができ、積算光量の変動を無くすことにより縞状のむら等の発生を有効に抑えることにある。また、積算光量の最適化の一環として、読取条件が可変な、即ち異なるライン周期や異なるラインイメージセンサ変換特性等の切り替えが可能な場合に、それぞれの動作に適応することをさらなる解決課題とする。
【課題を解決するための手段】
【０００４】
請求項１の発明は、ラインイメージセンサによる原稿読み取りの際にライン同期信号に同期させた駆動パルスを出力するインバータによって点灯制御される露光ランプで原稿を照明し、該ラインイメージセンサにより読み取った画像信号を処理する画像処理装置であって、ライン周期内における必要光量を得るためにインバータの点灯周波数に応じてランプ休止期間を設定する休止期間設定手段と、設定された休止期間にインバータからの駆動パルス出力を停止させるゲート手段を備えたことを特徴とする画像処理装置である。
請求項２の発明は、請求項１に記載された画像処理装置において、前記休止期間設定手段は、ライン同期信号を基準にインバータの発振パルス数に対応する期間として前記ランプ休止期間を設定する手段であることを特徴とするものである。
【０００５】
請求項３の発明は、請求項１又は２に記載された画像処理装置において、前記休止期間設定手段は、ランプ休止期間を期間の開始により定める手段であることを特徴とするものである。
請求項４の発明は、請求項１乃至３のいずれかに記載された画像処理装置において、前記休止期間設定手段は、ランプ休止期間を期間の終了により定める手段であることを特徴とするものである。
【０００６】
請求項５の発明は、請求項１乃至４のいずれかに記載された画像処理装置において、原稿読み取り手段が異なるライン周期による読み取り動作が可能な手段であり、前記休止期間設定手段は、指定されたライン周期による読み取り動作条件に対応してランプ休止期間を設定する手段であることを特徴とするものである。
請求項６の発明は、請求項１乃至５のいずれかに記載された画像処理装置において、ラインイメージセンサが異なる変換条件による読み取りが可能なセンサであり、前記休止期間設定手段は、指定された変換条件に対応してランプ休止期間を設定することを特徴とするものである。
【０００７】
請求項７の発明は、請求項１乃至６のいずれかに記載された画像処理装置において、露光ランプで照明された原稿面照度を検出する手段を備え、前記休止期間設定手段は、検出された原稿面照度をもとに必要光量を求め、求めた必要光量をもとにランプ休止期間を設定する手段であることを特徴とするものである。
請求項８の発明は、請求項７に記載された画像処理装置において、前記原稿面照度を検出する手段を所定の時間単位で検出を行う手段としたことを特徴とするものである。
請求項９の発明は、請求項７又は８に記載された画像処理装置において、前記原稿面照度を検出する手段を原稿或いはライン単位で検出を行う手段とし、前記休止期間設定手段は、検出結果に従いライン毎にランプ休止期間を設定する手段であることを特徴とするものである。
【発明の効果】
【０００８】
（１）請求項１，２の発明によると、インバータからの駆動パルス出力を停止させるゲート手段によりランプを休止させ、しかもライン同期信号を基準にインバータの発振パルス数に対応する期間として休止期間を設定するようにしたことにより、簡単な構成で各ライン周期内の積算光量の最適化を図り、積算光量の変動を無くすことにより縞状のむら等の発生を有効に抑えることが可能になるとともに、インバータにおける使用周波数の許容範囲を大きくすることが可能になる。
（２）請求項３，４，の発明によると、ランプ休止期間を期間の開始又は終了、もしくは開始及び終了タイミングにより定めるようにしたので、光量の最適化が可能な構成を容易に実現でき、開始及び終了タイミングにより定めるようにした場合には、回路設計上の自由度が増す。
（３）請求項５，６の発明によると、異なるライン周期や異なるラインイメージセンサ変換特性（文字／写真、モノクロ／カラー等に適応する特性）等を切り替えて用いることができる場合に応じた動作が可能になる。即ち、異なるライン周期に対しては、１ライン周期当たりの点灯パルス数が一定になるように設定を変えることによって光量変動をなくし、又異なるラインイメージセンサ変換特性に対しては、それぞれに適合する光量になるように設定を変えることによって適正動作が可能になり、無駄な電力消費を抑制することが可能になる。
（４）請求項７，８，９の発明によると、
ランプの比較的長期にわたる経時的な特性変化、又原稿連続読取時の原稿間などにおけるような比較的短期の特性変化が生じても、読取に必要な各ライン周期内の積算光量の最適化を図ることが可能になる。
【発明を実施するための最良の形態】
【０００９】
本発明を添付する図面とともに示す以下の実施形態に基づき説明する。なお、本実施形態では、本発明に係わる画像処理装置をカラー画像読取装置（カラーイメージスキャナ）として実施した例を示す。
図１は、本実施形態に係るカラー画像読取装置の全体構成図である。
まず、スキャナ本体に関しての構成の説明を行う。原稿台ガラス８上に置かれた原稿は、照明ランプ２により照射（ランプ光の一部は第１ミラー３を介して照射）される。第１ミラー３と照明ランプ２は第１キャリッジ３１に搭載されており、原稿台下部を移動しながら走査を行う。原稿からの反射光は、第１ミラー３及び第２キャリッジ３２上の第２ミラー５、第３ミラー４で走査され、レンズ１により集束され、ＣＣＤよりなるラインイメージセンサが搭載されたＳＢＵ（センサ  ボード  ユニット）１０に照射されることにより電気信号に光電変換される。ここでは、カラー読取が可能なラインイメージセンサを用い、色成分であるＲＧＢのカラー読取画像信号を得る。また、シェーディング補正や原稿読取信号のゲイン調整及びランプの光量調整を行うための白基準板１５０を設け、補正或いは調整時にＣＣＤによりここを読み取ることにより必要な情報を得る。
第１ミラー３、照明ランプ２及び第２ミラー５、第３ミラー４をそれぞれ搭載する第１・２キャリッジは、走行体モータ９を駆動源として、キャリッジホーム位置から最大走査領域方向（図左右方向）に移動可能となっている。
【００１０】
次に、ＡＲＤＦ（自動両面原稿搬送装置）部に関しての構成の説明を行う。
ＡＲＤＦは、スキャナ本体の上部に組みつけられ、原稿台に載せたシート原稿を搬送し、その間に原稿読取を行うための装置で、図示の例は原稿の両面読取に対応する。
読取原稿台１７の原稿ガイド１２に沿って積載された原稿は、片面原稿読み取りを選択した場合には、呼び出しコロ１４、給紙ベルト１６により搬送コロ１５、分離コロ１７、第１搬送ローラによりＤＦ用原稿ガラス６と反射ガイド板２０との間の読取位置を経て、第２搬送ローラ２１及び排紙ローラ２３へ送り込まれ、原稿が排出される。ＤＦ用原稿ガラス前にはレジストセンサー１９が配置されており、読取部への紙の進入（先端）や後端部のタイミングを検知できる。
一方、両面原稿読み取りを選択した場合には、まず原稿の表面の読み取りを上記、片面原稿読み取りを選択した場合と同様に実施する。原稿の表面の読み取りに関して説明を行う。呼び出しコロ１４、給紙ベルト１６により搬送コロ１５、分離コロ１７、第１搬送ローラによりＤＦ用原稿ガラス６と反射ガイド板２０との間の読取位置を経て、第２搬送ローラ及び排紙ローラ２３へ送り込まれる。ここで両面の場合、原稿を排出せずに、分岐爪２４が下方へ切り換えられて反転ローラ２５により反転テーブル２６上へ移送される。原稿の後端が排紙ローラ２３を抜けた後に分岐爪２４が上方へ切り換えられて一旦、反転ローラが停止する。次に原稿の裏面の読み取りを行う。原稿の裏面の読み取りを実施するためには、一旦、停止していた反転ローラ２５を上記とは逆方向へ回転させることにより原稿が反転テーブル２６から第１搬送ローラ１８の方向へ搬送され、更に第１搬送ローラ１８を経て表面と同様にＤＦ用原稿ガラス６と反射ガイド板２０との間の読取位置を経て、第２搬送ローラ２１及び排紙ローラ２３へ送り込まれ、その後、原稿が排出される。原稿は、表面、裏面の読み取り共にＤＦ用原稿ガラス６と反射ガイド板２０との間の読取位置を通過する際に、読取位置の近傍に停止されている照明ランプ２により照射され、その反射光は、第１ミラー３及び一体に構成された第２ミラー５、第３ミラー４を経てＣＣＤラインイメージセンサが搭載されたＳＢＵ１０に照射される。そこで原稿台の場合と同様に光電変換される。ＡＲＤＦの呼び出しコロ１４、給紙ベルト１６、搬送コロ１５、分離コロ１７の給紙機構は給紙モータ（図示せず）により駆動されている。又、第１搬送ローラ１８、第２搬送ローラ２１、排紙ローラ２３、反転ローラ２５の搬送機構は搬送モータ（図示せず）により駆動されている。
更に、ＡＲＤＦには原稿を検知するために原稿台１７へ原稿がセットされているか否かを検知するセットセンサ１３、原稿サイズを検知するための幅サイズ検知基板２８、原稿長さセンサ（１）２９と原稿長さセンサ（２）３０、原稿の後端を検知するための原稿後端センサ２７が搭載されている。
スキャナ本体にはスキャナ本体及びＡＲＤＦを含めたカラー画像読取装置の動作制御を行うＳＣＵ（スキャナ  コントローラ  ユニット）７が搭載されている。
【００１１】
図２は、本実施形態に係る画像読取装置における電装部とその制御部の全体ブロック図である。図３は、図２のＳＣＵ７に関連する制御システムをより詳細に示すブロック図である。
図２及び図３を参照して制御ブロック構成を説明する。
ＳＢＵ１０上のＣＣＤラインイメージセンサ１００に入光した原稿の反射光は、ＣＣＤ内で光の強度に応じた電圧値を持つアナログ信号に変換され、奇数ビットと偶数ビットに分かれて出力される。
上記ＳＢＵ１０のアナログ画像信号は、ＶＩＯＢ３３上でアナログ処理回路１０１で暗電位部分が取り除かれ、奇数ビットと偶数ビットが合成され、所定の振幅にゲイン調整された後にＡ／Ｄコンバータ１０２に入力されデジタル信号化される。
デジタル化された画像信号は、シェーディング部１０３によりシェーディング補正されＶＩＯＢ３３からＳＣＵ７上のＩＰＵ１０４で、ガンマ補正、ＭＴＦ補正等の画像処理が行なわれた後、同期信号画像クロックとともにビデオ信号として、画像データ記憶手段であるＳＤＲＡＭ  １０６を管理するメモリーコントローラ１０５に入力され、ＳＤＲＡＭ１０６で構成される画像メモリに蓄えられる。
画像メモリに蓄えられた画像データは、外部Ｉ／Ｆドライバ１０７に送られ、パソコンやプリンタ等の出力装置へ転送される。なお、図示の外部Ｉ／Ｆドライバ１０７はＳＣＳＩ，ＩＥＥＥ１３９４、ＬＡＮなどのドライバやローカルＶｉｄｅｏ信号などを総称して記載している。
ＳＣＵ７上には、ＣＰＵ１０８、ＲＯＭ１０９、ＲＡＭ１１０、モータコントローラ（ドライバ）１１２が実装されており、ＣＰＵ１０８は、スキャナ本体のステッピングモータであるスキャナモータ９、ＡＲＤＦの給紙モーター（図示せず）、搬送モーター（図示せず）のタイミング制御も行なっている。ＡＤＵ４２は、図２に示すようにＡＲＤＦ部に用いる電装部品への電力供給を中継する機能を有している。
ＳＣＵ７上のＣＰＵ１０８は出力ポートを通して照明ランプ２のランプ点灯回路部１１５および安定器１１４に接続され、インバータにより制御されるランプの点灯動作の設定条件に従って必要な制御信号を送出する。なお、ランプ点灯回路部１１５については下記に詳述する。
ＳＣＵ７上のＣＰＵ１０８に接続されている入力ポートは、ＶＩＯＢ３１を介して本体操作パネル：ＳＯＰ４３に接続されている。本体操作パネル：ＳＯＰ４３上にはスタートスイッチ（図示せず）と停止スイッチ（図示せず）が実装されている。それぞれのスイッチが押下されると入力ポートを介してＣＰＵ１０８はスイッチがＯＮされたことを検出する。
【００１２】
次に、インバータにより駆動制御される照明ランプ２のランプ点灯回路部１１５について説明する。
図４は、ランプ点灯回路部１１５のブロック図を示す。本実施形態におけるランプ１３３（図１、図２のランプ２に相当）の点灯制御は、インバータ１３１の駆動出力によってランプ１３３を点灯する際に、ＣＣＤラインイメージセンサ１００における読取タイミングの基準となるライン同期信号と同期をとって点灯することを前提にしている。
従って、図４に示すように、ランプ点灯回路部１１５にはＣＣＤラインイメージセンサ１００における各ラインの読取開始タイミングを規定するライン同期信号（ＴＧ‐ＩＮＶ）を入力し、この信号ＴＧ‐ＩＮＶの入力に同期してランプ１３３を点灯させるインバータ１３１を制御するためのクロック信号を発生する発振部１３４が発振動作を行うようにする。発振部１３４から出力されるクロック信号に応じて点灯制御部１３５が動作し、インバータ１３１を制御することにより定電圧電源１３０からの電力をランプ１３３の駆動信号パルスとして供給する。インバータ１３１からのパルス出力は昇圧トランス１３２を経由してランプ１３３に印加される。
なお、点灯制御部１３５に入力されている信号ＣＮＴは、各原稿を読み取るときにランプ点灯を有効（ＯＮ）にし、一枚の原稿を読取終わると無効（ＯＦＦ）にするＯＮ／ＯＦＦ制御信号である。従って、非同期点灯の場合には、ライン同期信号ＴＧ‐ＩＮＶをＬｏｗレベルに固定し、信号ＣＮＴにランプＯＮ／ＯＦＦ制御信号を入力する。
一方、本実施形態のように、休止期間のある同期点灯を行う場合には、ライン同期信号ＴＧ‐ＩＮＶを入力するとともに、各ラインの休止期間を定めるＧＡＴＥ信号を点灯制御部１３５に入力する。
このように、ランプＯＮ／ＯＦＦ制御信号ＣＮＴ、ライン同期信号（ＴＧ‐ＩＮＶ）、各ラインの休止期間を定めるＧＡＴＥ信号がインバータ制御部に入力されるが、これらの信号は、ＳＣＵ７上のＣＰＵ１０８がランプの点灯動作条件の設定に従って必要となる制御信号を生成し、出力ポートを通して送信してくる。なお、ＧＡＴＥ信号については図８に基づき下記に詳述する。
【００１３】
図５は、インバータ回路の具体化回路構成の一例を示す。
図５に示すように、ランプＯＮ／ＯＦＦ制御信号ＣＮＴがＨｉｇｈレベルの時、トランジスタ（ＴＲ１）がＯＮし、インバータ制御用ＩＣ（ＩＣ１）に電力が供給される。インバータ制御用ＩＣ（ＩＣ１）はスイッチング素子（ＦＥＴ１）を駆動するためのドライバ及び発振器を内蔵しておりＣｔ端子及びＲｔ端子にそれぞれ接続されたコンデンサ（Ｃ１）及び抵抗（Ｒ３、ＶＲ１）の定数に応じて発振器が所定の周期で発振し、発振パルスによりドライバを駆動し、ドライバの出力によりスイッチング素子（ＦＥＴ１）が駆動される。駆動信号によりスイッチング素子（ＦＥＴ１）がＯＮになると、定電圧電源１３０→昇圧トランス１３２の一次側巻線→スイッチング素子（ＦＥＴ１）の経路で電流が流れ、昇圧トランス１３２にエネルギーが蓄えられる。次にスイッチング素子（ＦＥＴ１）がＯＦＦになると昇圧トランス１３２に流れていた電流が遮断されると蓄えられていたエネルギーが放出され、昇圧トランス１３２の一次側、二次側に急峻な立ち上がりを持つ電圧波形が発生する。この電圧波形は時間とともに減衰し、次にスイッチング素子（ＦＥＴ１）がＯＮになった後ＯＦＦになると、前記と同様に再び急峻な立ち上がりを持つ電圧波形が発生する。すなわちスイッチング素子ＦＥＴ１をＯＮ／ＯＦＦする毎に再び急峻な立ち上がりを持つ電圧波形が発生し、ランプ１３３に繰り返し電流が流れ、ランプ１３３が点灯し光が放出される。
また、インバータ制御用ＩＣ（ＩＣ１）では、コンデンサ（Ｃ１）及び抵抗（Ｒ３、ＶＲ１）より構成されるＣＲ発振回路により発振するが、ライン同期信号ＴＧ‐ＩＮＶのＨｉｇｈ期間にコンデンサ（Ｃ１）を放電させることにより発振を停止させ、Ｌｏｗ期間に発振を開始させ、同期点灯することができる。
また、インバータ制御用ＩＣ（ＩＣ１）には、各ラインの休止期間を定めるＧＡＴＥ信号を入力し、ゲートを閉じる信号が入力される期間はインバータ出力を停止する。ＧＡＴＥ信号を変化させることにより、ライン周期における光量（積分値）を制御することが可能になる。
【００１４】
次に、インバータにより駆動制御される上記ランプ点灯回路に係わる実施形態を下記に「実施形態１」〜「実施形態９」として示す。
「実施形態１」
本実施形態は、点灯周期をライン同期に同期させる上記したインバータによる点灯制御の基本動作に関する実施形態を示す。
図６及び図７は、インバータにより駆動制御されるランプ点灯回路における制御信号のタイミングチャートであり、ライン同期信号との同期点灯の基本制御動作に係わる信号の関連について示すものである。
図６は、ランプＯＮ／ＯＦＦ信号（ＣＮＴ）とライン同期信号（ＴＧ‐ＩＮＶ）のタイミングを例示したもので、ライン同期信号（ＴＧ‐ＩＮＶ）は、点灯周波数（インバータ内の発振器により決まる）との位相同期をとる目的で供給され、一定の周期（例えば、２３８  ｏｒ  ３３９μｓ）で一定のＨｉｇｈ期間（例えば、３μｓ）を有する信号である。ＴＧ‐ＩＮＶは同期化のために供給されるので、ランプＯＮ／ＯＦＦ信号（ＣＮＴ）とは別に、即ち、ＣＮＴとＴＧ‐ＩＮＶは非同期で供給される。なお、ＣＮＴ信号のＯＮ／ＯＦＦは任意の時間、つまり原稿等の読取に必要な時間をＯＮ（有効）期間として任意に定めることができる時間である。
図７は、ライン同期信号（ＴＧ‐ＩＮＶ）とインバータ出力（光波形）のタイミングを表すもので、光波形は同期化後のインバータ制御出力によるものであり、ここでは定周期のパルス状の波形として示す。この場合、動作条件としてＴＧ‐ＩＮＶ周期のＨｉｇｈ期間に対するオーバーラップはＦＥＴ１がＯＮしている期間とするので、発振停止状態にあることを表している。また、インバータ（ＦＥＴ１）のゲート電圧実測値ＯＮ  Ｄｕｔｙ（ＯＮ期間／点灯周期）＝２０．１％（３．０μｓ／１４．９μｓ）固定とし、ＴＧ‐ＩＮＶがＬｏｗになってからＦＥＴ１がＯＮするまでの遅延時間は、ゲート電圧実測値２３．５μｓ固定として示したものである。
【００１５】
図７の例に示したように、本実施形態では、ライン同期信号（ＴＧ‐ＩＮＶ）に同期させることにより、規定されたＴＧ‐ＩＮＶ１周期当りの点灯パルス数（図７の場合は１５パルス）を設定するという方法により必要光量を確保することができる。従って、インバータが出力する点灯周波数が所定の周波数範囲にあれば、目的の光量が保証されるから、使用周波数の許容範囲を広くとることが可能になる。
使用周波数の許容範囲について、図７の「１５パルス／ライン」を例に説明すると、
“最低周波数”は、ＴＧ‐ＩＮＶ周期２３８．０μｓでＨｉｇｈ期間３．０μｓと遅延時間２３．５μｓを引いた２１１．５μｓに１５個のＯＮ時間がピッタリ合う周波数になる。この場合、１周期を１００％とすると、２１１．５μｓに１４２０．１（＝（１００×１４）＋２０．１）％の繰り返し周期になる。１００％当りの時間（周期）は１４．８９μｓとなるので、周波数は６７．１６ｋＨｚとなる。
“最高周波数”は、２１１．５μｓを１５で割った時間１４．１０μｓが１周期となるので、周波数は７０．９２ｋＨｚとなる。
従って、“周波数範囲”は、
６７．１６ｋＨｚ〜７０．９２ｋＨｚ  →  ６９．０４±１．８８ｋＨｚ
となる。
【００１６】
「実施形態２」
本実施形態は、上記実施形態１におけるインバータによる点灯制御の基本動作をベースに各ラインの休止期間を定める点灯休止ＧＡＴＥ信号が入力される場合の制御動作に係わる実施形態を示す。
図８は、本実施形態の制御動作に係わる信号として、ライン同期信号（ＴＧ‐ＩＮＶ）、点灯休止ＧＡＴＥ信号とインバータ出力（光波形）のタイミングを表したもので、点灯休止動作を除いて、回路の動作条件は図７と同一として示したものである。
点灯休止ＧＡＴＥ信号は、本実施形態では、ライン同期信号（ＴＧ‐ＩＮＶ）の立ち上げと同時にゲートの有効（ゲートを開状態とする）信号を立ち上げ、点灯休止の開始時に立ち下げ、立ち下げてから次のＴＧ‐ＩＮＶの立ち上げまでの間を休止期間とする。点灯休止の開始時の設定は、点灯パルス数によって設定可能とする。即ち、休止期間によって点灯パルス数を調整してライン周期に必要となる光量を点灯パルス数によって決める。ただし、ＦＥＴ１のＯＮ時間とのオーバーラップを避けるために、実際には、例えば（点灯パルス数＋１／２パルス）という値で設定し、このパルス数に相当するタイミングで点灯休止を開始する。
【００１７】
図８において、ＧＡＴＥ信号の動作によるＴ１が休止期間で、ＧＡＴＥ信号の制御によって、１ライン当りの点灯パルス数を変更することを示している。ここでは、１５パルス／ライン（図７）から１３パルス／ラインに変更するような設定をした例を示すものである。
この例では、休止期間の開始タイミングを（１３パルス＋１／２パルス）と設定しており、この場合には、ＴＧ‐ＩＮＶ周期２３８．０μｓで、ＴＧ‐ＩＮＶ  のＨｉｇｈ期間３．０μｓと遅延時間２３．５μｓ経過後（図７参照）、１３．５パルス分である１４．９μｓ×１３．５＝２０１．２μｓが経過した時に休止期間を開始する。つまり、ＧＡＴＥ信号が有効になってから３．０μｓ＋２３．５μｓ＋２０１．２μｓ＝２２７．７μｓ後に休止期間を開始するように点灯休止ＧＡＴＥ信号を設定し制御する。
上記したライン周期の光量を可変するＧＡＴＥ信号は、ＳＣＵ７上のＣＰＵ１０８によってランプの点灯制御信号として生成され、ランプ点灯回路部１１５に送信されてくる。ＳＣＵ７には、ＣＰＵ１０８にＧＡＴＥ信号を生成させるためのプログラムが搭載され、このプログラムによって、例えば、操作パネルＳＯＰ４３からの操作入力による指示にしたがいＧＡＴＥ信号を可変する。また、自動で必要光量の調整を行う場合には、ＣＣＤラインイメージセンサ１００でライン周期の積分値として検出したランプ光量を基準の光量と比較することにより調整量を求め、ＧＡＴＥ信号における休止期間の開始タイミングを設定するという方法によって行っても良い。
このようにして、ＧＡＴＥ信号の動作により必要光量の調整を行うことができる。
【００１８】
「実施形態３」
本実施形態は、原稿読取装置が異なるライン周期による読み取り動作が可能な機能を備えている場合に、指定されたライン周期による動作条件に対応してランプ休止期間の設定を変え、適正な光量を得るようにするものである。
上記実施形態１，２のライン同期信号（ＴＧ‐ＩＮＶ）の周期２３８．０μｓと異なるライン周期として、例えば、ＴＧ‐ＩＮＶ  周期を３３９．０μｓとした場合についての実施形態を説明する。
図１０は、  周期を３３９．０μｓとしたライン同期信号（ＴＧ‐ＩＮＶ）とインバータ出力（光波形）のタイミングを表すものである。図１０の例においては、周期を３３９．０μｓとした点を除き、それ以外の条件はＴＧ‐ＩＮＶ周期２３８．０μｓとした上記図７の例と変わりがなく、ＯＮ  Ｄｕｔｙ（ＯＮ期間／点灯周期）＝２０．１％（３．０μｓ／１４．９μｓ）固定とし、ＴＧ‐ＩＮＶがＬｏｗになってからＦＥＴ１がＯＮするまでの遅延時間は、ゲート電圧実測値２３．５μｓ固定としている。従って、光波形は２１パルス分含まれる。
ここで、ＴＧ‐ＩＮＶ  周期を３３９．０μｓとした場合について、先の周期２３８．０μｓと同様に、使用する周波数の許容範囲を示す。
図１０に示す「２１パルス／ライン」を例に説明すると、
“最低周波数”は、ＴＧ‐ＩＮＶ周期３３９．０μｓでＨｉｇｈ期間３．０μｓと遅延時間２３．５μｓを引いた３１２．５μｓに２１個のＯＮ時間がピッタリ合う周波数になる。この場合、１周期を１００％とすると３１２．５μｓに２０２０．１（＝（１００×２０）＋２０．１）％の繰り返し周期になる。１００％当りの時間（周期）は１５．４７μｓとなるので、周波数は６４．６４ｋＨｚとなる。
“最高周波数”は、３１２．５μｓを２１で割った時間１４．８８μｓが１周期となるので、周波数は６７．２０ｋＨｚとなる。
従って、“周波数範囲”は、
６４．６４ｋＨｚ〜６７．２０ｋＨｚ  →  ６５．９２±１．２８ｋＨｚ
となる。
【００１９】
ＴＧ‐ＩＮＶ周期３３９．０μｓの場合に上記実施形態２で示した２２７．７μｓ（１３パルス＋１／２パルス）で点灯休止期間を開始するＧＡＴＥ信号を用いると、１ライン周期に対する点灯デューティが小さくなり、積算光量が小さくなる。そこで、点灯休止期間の開始タイミングを（１８パルス＋１／２パルス）と設定し、ＴＧ‐ＩＮＶ周期３３９．０μｓで、ＴＧ‐ＩＮＶ  のＨｉｇｈ期間３．０μｓと遅延時間２３．５μｓ経過後（図１０参照）、１８．５パルス分である１４．９μｓ×１８．５＝２７５．７μｓが経過した時に休止期間を開始する。つまり、ＧＡＴＥ信号が有効になってから３．０μｓ＋２３．５μｓ＋２７５．７μｓ＝３０２．２μｓ後に休止期間を開始するように点灯休止ＧＡＴＥ信号を設定し制御する。
画像読取装置が異なるライン周期による読み取り動作が可能な機能を有する場合に、ＴＧ−ＩＮＶ周期２３８．０μｓの場合には、ＧＡＴＥ信号が有効になってから２２７．７μｓ後に休止期間を開始するようにＧＡＴＥ信号を制御し、ＴＧ−ＩＮＶ周期３３９．０μｓの場合にはＧＡＴＥ信号が有効になってから３０２．２μｓ後に休止期間を開始するようにＧＡＴＥ信号を制御する。
このようなＧＡＴＥ信号を発生させるための設定の切り替えをライン周期の切り替えと連動して行うことにより、適正な光量による動作が可能になる。
【００２０】
「実施形態４」
本実施形態は、原稿読取を行うラインイメージセンサが文字／写真、白黒／カラー、等に対応して異なる変換条件による読み取りが可能なセンサを備えている場合に、読取条件として指定された変換条件に対応してランプ休止期間の設定を変え、適正な光量を得るようにするものである。
本実施形態では、写真、カラー、等の原稿を読み取る場合のように光量の必要なモードにおいては、点灯休止ＧＡＴＥ信号を用いない、例えば図７或いは図１０に示した同期点灯のみによりランプを点灯制御する。また、文字、白黒、等その他の原稿を読み取る場合のように光量を少なくできるモードにおいては、点灯休止ＧＡＴＥ信号を用いた、例えば図８に示した休止期間のある同期点灯にてランプを点灯制御する。
このように、読取条件として指定された変換条件に対応してＧＡＴＥ信号の使用／不使用の選択することにより、適正な光量による動作が可能になり、無駄な電力消費を抑制することも可能になる。
【００２１】
「実施形態５」
本実施形態は、上記実施形態１におけるインバータによる点灯制御の基本動作をベースに各ラインの休止期間を定める点灯休止ＧＡＴＥ信号が入力される場合の制御動作に係わる他の実施形態を示す。本実施形態では、点灯休止の終了時を制御条件としてこの制御動作を行うものであり、上記実施形態２における点灯休止の開始時の設定により行うものとは、開始時と終了時の違いがある。なお、ここでは、上記実施形態２にさらに点灯休止の終了時を制御条件として加えるようにした実施形態を例示するが、点灯休止の終了時のみを制御条件とする実施も可能である。
図９は、本実施形態の制御動作に係わる信号として、ライン同期信号（ＴＧ‐ＩＮＶ）、点灯休止ＧＡＴＥ信号とインバータ出力（光波形）のタイミングを表したもので、点灯休止の終了時の動作を除いて、回路の動作条件は図８と同一として示したものである。
ＧＡＴＥ信号は、本実施形態では、ライン同期信号（ＴＧ‐ＩＮＶの立ち上げ）を基準として設定する点灯休止の終了タイミングで立ち上げてゲート有効とし、この後、図８と同じ動作で点灯休止の開始タイミングで立ち下げる。従って、周期の始めから終了タイミングで立ち上げるまでの期間と、立ち下げ（点灯休止の開始）から周期の終わりまでの期間とが休止期間となる。
点灯休止の終了タイミングの設定は、上述の開始タイミングと同様に、点灯パルス数によって設定可能とする。即ち、点灯休止の終了と開始によって定まる休止期間によって点灯パルス数を調整してライン周期に必要となる光量を点灯パルス数によって決める。ただし、ＦＥＴ１のＯＮ時間とのオーバーラップを避けるために、実際には、例えば（点灯パルス数＋１／２パルス）という値で設定し、このパルス数に相当するタイミングで点灯終了と開始をする。
【００２２】
図９の例において、ＧＡＴＥ信号の動作による周期の始めから休止期間の終了までのＴ２と休止期間の開始から周期の終わりまでのＴ１が休止期間で、このＧＡＴＥ信号の制御によって、１ライン当りの点灯パルス数を変更することを示している。ここでは、１５パルス／ライン（図７）から１２パルス／ラインに変更するような設定をした例を示すものである。
この例では、休止期間の終了タイミングを（１パルス＋１／２パルス）と設定しており、この場合には、ＴＧ‐ＩＮＶ周期２３８．０μｓで、ＴＧ‐ＩＮＶ  のＨｉｇｈ期間３．０μｓと遅延時間２３．５μｓ経過後（図７参照）、１．５パルス分である１４．９μｓ×１．５＝２２．４μｓが経過した時に休止期間を終了する。つまり、周期の始め（ＴＧ‐ＩＮＶの立ち上げ）から３．０μｓ＋２３．５μｓ＋２２．４μｓ＝４８．９μｓ後に休止期間を終了するように点灯休止ＧＡＴＥ信号を制御する。また、休止期間の開始タイミングを（１３パルス＋１／２パルス）と設定しており、この場合には、ＴＧ‐ＩＮＶ周期２３８．０μｓで、ＴＧ‐ＩＮＶ  のＨｉｇｈ期間３．０μｓと遅延時間２３．５μｓ経過後（図７参照）、１３．５パルス分である１４．９μｓ×１３．５＝２０１．２μｓが経過した時に休止期間を開始する。つまり、ＧＡＴＥ信号が有効になってから３．０μｓ＋２３．５μｓ＋２０１．２μｓ＝２２７．７μｓ後に休止期間を開始するように点灯休止ＧＡＴＥ信号を設定し制御する。
このようにして、ＧＡＴＥ信号の動作により周期の先頭の１パルスと後尾の２パルスの出力を休止することにより、必要光量の調整を行うことができる。
【００２３】
「実施形態６」
本実施形態は、原稿読取装置が異なるライン周期による読み取り動作が可能な機能を備えている場合に、指定されたライン周期による動作条件に対応してランプ休止期間の設定を変え、適正な光量を得るようにするものである。ここでは、ランプ休止期間の設定を上記実施形態５に示した点灯休止の開始及び終了時として制御動作を行うようにするものである。なお、点灯休止の終了時のみを制御条件とする実施も可能である。
本例では、上記実施形態５のライン同期信号（ＴＧ‐ＩＮＶ）の周期２３８．０μｓと異なるライン周期として、例えば、ＴＧ‐ＩＮＶ  周期を３３９．０μｓとした場合についての実施形態を説明する。
図１１は、ＴＧ‐ＩＮＶ周期３３９．０μｓに対する本実施形態の制御動作に係わる信号として、ライン同期信号（ＴＧ‐ＩＮＶ）、点灯休止ＧＡＴＥ信号とインバータ出力（光波形）のタイミングを表したものである。図示の例は、点灯休止の開始・終了時の動作を除いて、回路の動作条件は図１０と同一として表したものである。
【００２４】
ＴＧ‐ＩＮＶ周期３３９．０μｓの場合に上記実施形態５で示した２２７．７μｓ（１３パルス＋１／２パルス）で点灯休止期間を開始するＧＡＴＥ信号を用いると、１ライン周期に対する点灯デューティが小さくなり、積算光量が小さくなる。そこで、点灯休止期間の開始タイミングを（１９パルス＋１／２パルス）と設定し、ＴＧ‐ＩＮＶ周期３３９．０μｓで、ＴＧ‐ＩＮＶ  のＨｉｇｈ期間３．０μｓと遅延時間２３．５μｓ経過後（図１０参照）、１９．５パルス分である１４．９μｓ×１９．５＝２９０．６μｓが経過した時に休止期間を開始する。つまり、ＧＡＴＥ信号が有効になってから３．０μｓ＋２３．５μｓ＋２９０．６μｓ＝３１７．１μｓ後に休止期間を開始するように点灯休止ＧＡＴＥ信号を設定し制御する。
画像読取装置が異なるライン周期による読み取り動作が可能な機能を有する場合に、ＴＧ−ＩＮＶ周期２３８．０μｓの場合には、ＧＡＴＥ信号が有効になってから２２７．７μｓ後に休止期間を開始するようにＧＡＴＥ信号を制御し、ＴＧ−ＩＮＶ周期３３９．０μｓの場合にはＧＡＴＥ信号が有効になってから３１７．１μｓ後に休止期間を開始するようにＧＡＴＥ信号を制御する。なお、本例では、ＴＧ‐ＩＮＶ周期２３８．０μｓ、３３９．０μｓのいずれも、休止期間の終了タイミングを（１パルス＋１／２パルス）と設定しており、この場合には、上記実施形態５に述べたように、周期の始め（ＴＧ‐ＩＮＶの立ち上げ）から３．０μｓ＋２３．５μｓ＋２２．４μｓ＝４８．９μｓ後に休止期間を終了する。
このようなＧＡＴＥ信号を発生させるための設定の切り替えをライン周期の切り替えと連動して行うことにより、適正な光量による動作が可能になる。
【００２５】
上記では、原稿読取装置が異なるライン周期による読み取り動作が可能な機能を備えている場合に、各々のライン周期に応じてランプ点灯パルス数を可変する場合について説明したが、例えば必要光量がライン周期によらずに一定で良い場合には、ランプ点灯パルス数を同じにするために、長いライン周期の方の休止期間を変えてやる必要がある。
図１２は、この条件に従うＴＧ‐ＩＮＶ周期３３９．０μｓに対する本実施形態の制御動作に係わる信号として、ライン同期信号（ＴＧ‐ＩＮＶ）、点灯休止ＧＡＴＥ信号とインバータ出力（光波形）のタイミングを表したものである。
図１２の例においては、ＴＧ‐ＩＮＶ周期３３９．０μｓの休止期間の終了タイミングを（７パルス＋１／２パルス）と設定し、ＴＧ‐ＩＮＶ周期３３９．０μｓの周期の始めから、ＴＧ‐ＩＮＶ  のＨｉｇｈ期間３．０μｓと遅延時間２３．５μｓ経過後（図１０参照）、７．５パルス分である１４．９μｓ×７．５＝１１１．８μｓが経過した時に休止期間を終了する。つまり、周期の始め（ＴＧ‐ＩＮＶの立ち上げ）から３．０μｓ＋２３．５μｓ＋１１１．８μｓ＝１３８．３μｓ、Ｔ２経過後、休止期間を終了するように点灯休止ＧＡＴＥ信号を設定し制御する。この制御によって、ライン周期によらずに一定の光量が得られる。
【００２６】
「実施形態７」
本実施形態は、原稿読取を行うラインイメージセンサが文字／写真、白黒／カラー、等に対応して異なる変換条件による読み取りが可能なセンサを備えている場合に、読取条件として指定された変換条件に対応してランプ休止期間の設定を変え、適正な光量を得るようにするものである。ここでは、文字、白黒、等の原稿を読み取る場合に、ランプ休止期間の設定を上記実施形態５に示した点灯休止の終了時を制御条件として制御動作を行うようにするものである。
本実施形態では、写真、カラー、等の原稿を読み取る場合のように光量の必要なモードにおいては、点灯休止ＧＡＴＥ信号を用いない、例えば図７及び図１０に示した同期点灯のみによりランプを点灯制御する。また、文字、白黒、等その他の原稿を読み取る場合のように光量を少なくできるモードにおいては、点灯休止ＧＡＴＥ信号を用いた、例えば図９、図１１、もしくは図１２に示した点灯休止の終了時と開始時によって定まる休止期間を有する同期点灯にてランプを点灯制御する。
このように、読取条件として指定された変換条件に対応してＧＡＴＥ信号の使用／不使用の選択することにより、適正な光量による動作が可能になり、無駄な電力消費を抑制することも可能になる。
【００２７】
「実施形態８」
本実施形態は、原稿読取に用いる照明ランプの経時変化によって生じる光量の減少に対応して光量を適正に保持することを目的として、これをランプ休止期間の設定条件を変えることによって行うようにするものである。
ランプの経時変化の補償という目的を実現するためには、ランプの発光量を所定経過時間ごと或いは保守点検時にチェックする必要があるが、本実施形態では、これを既存の方法、例えば、電源ＯＮ時或いは保守点検時に白基準板１５０や基準原稿をＣＣＤ１００により読み取り、１ライン周期の光量積分値を原稿面照度として求め、この値を基準値と比較して光量調整の要否を判断し、調整が必要な場合にはその操作量を決める、といった方法により実施する。
本実施形態では、上記実施形態５のライン同期信号（ＴＧ‐ＩＮＶ）の周期を２３８．０μｓとし、ランプ休止期間の設定を点灯休止の開始及び終了時として制御動作を行うようにするもの（なお、点灯休止の開始、終了時のどちらかを制御条件とする場合でもよい）において、点灯休止の開始をこの目的のために操作する実施形態を説明する。
図１３乃至１５は、ＴＧ‐ＩＮＶ周期２３８．０μｓに対する本実施形態の制御動作に係わる信号として、ライン同期信号（ＴＧ‐ＩＮＶ）、点灯休止ＧＡＴＥ信号とインバータ出力（光波形）のタイミングを表したものである。図示の例は、点灯休止の開始、終了時の動作を除いて、回路の動作条件は図１０と同一としたものである。また、図１３は初期状態を、図１４、図１５は経時変化によりランプ光量調整を行った状態を表している。
【００２８】
図１３の例では、初期において、必要原稿面照度に応じたランプ光量が１０パルス分の点灯を行うことによって得られるとし、このために休止期間の開始及び終了タイミングの制御条件として点灯休止の開始、終了にそれぞれ３パルス分、２パルス分休止させるような制御をかけている。
このような設定条件に従って点灯制御が行われる間に、ランプの経時的な特性変化により原稿面照度が低下した場合には画像品質の低下を防止するためにランプ休止期間の設定条件を変えて、光量を制御する。本例では図１４、図１５に示すように、休止期間の開始タイミングのみを原稿面照度が大きくなるように制御する。
図１４に示すように１パルス分休止の開始タイミングを遅らせることにより１０パルスから１１パルス分に点灯パルスを増やすことができる。１１パルスに増加させると原稿面照度は約１０％増加する。よって、ランプの経時的な特性変化により初期状態より１０％以上原稿面照度が低下する場合には、１ライン当りの点灯パルス数を増加させることにより原稿面照度を初期状態に近づけることができる。
図１４の１パルス分休止の開始を遅らせる場合には、開始のタイミングを（１４パルス＋１／２パルス）と設定する。この場合には、１４．５パルス分である１４．９μｓ×１４．５＝２１６．１μｓが条件となるから、上述と同様に、周期の始め（ＴＧ‐ＩＮＶの立ち上げ）から３．０μｓ＋２３．５μｓ＋２１６．１μｓ＝２４２．６μｓ経過後、休止期間を開始するように点灯休止ＧＡＴＥ信号を設定し制御する。この制御によって、光量を増加する調整が行われ、初期状態の光量を補償することが可能になる。
図１４に示すように休止期間の開始タイミングを制御しても原稿面照度の低下が大きい場合には、図１５に示すように休止期間の開始タイミングを制御する。この場合には、初期状態よりも２パルス分休止の開始を遅らせるので、開始のタイミングを（１５パルス＋１／２パルス）と設定する。この場合には、周期の始め（ＴＧ‐ＩＮＶの立ち上げ）から３．０μｓ＋２３．５μｓ＋２３１．０μｓ＝２５７．５μｓ経過後、休止期間を開始するように点灯休止ＧＡＴＥ信号を設定し制御する。この制御によって、光量をさらに増加する調整が行われ、初期状態の光量を補償することが可能になる。
【００２９】
「実施形態９」
本実施形態は、原稿読取に用いる照明ランプの比較的短期間の特性変化によって生じる光量の減少に対応して光量を適正に保持することを目的として、これをランプ休止期間の設定条件を変えることによって行うようにするものである。照明ランプの短期的な特性変化は、原稿の連続読取時に原稿の間で生じたり、或いは原稿読取の開始時と終了時のラインといったライン単位で生じる特性変化によるものである。
ランプの短期的な特性変化の補償という目的を実現するためには、ランプの発光量を原稿間或いはライン間といったような短い間隔でチェックする必要がある。これを実施するための方法は、例えば、原稿間或いはライン間で白基準板１５０や基準原稿をＣＣＤ１００により読み取り、１ライン周期の光量積分値を面照度として求め、この値を基準値と比較して光量調整の要否を判断し、調整が必要な場合にはその操作量を決める、といった既存の方法により実施することが可能である。
本実施形態では、上記実施形態５のライン同期信号（ＴＧ‐ＩＮＶ）の周期を２３８．０μｓとし、ランプ休止期間の設定を点灯休止の開始及び終了時として制御動作を行うようにするもの（なお、点灯休止の開始、終了時のどちらかを制御条件とする場合でもよい）において、点灯休止期間の終了をこの目的のために操作する実施形態を示す。
図１６乃至１８は、ＴＧ‐ＩＮＶ周期２３８．０μｓに対する本実施形態の制御動作に係わる信号として、ライン同期信号（ＴＧ‐ＩＮＶ）、点灯休止ＧＡＴＥ信号とインバータ出力（光波形）のタイミングを表したものである。図示の例は、点灯休止の開始、終了時の動作を除いて、回路の動作条件は図１０と同一としたものである。また、図１６は初期状態を、図１７、図１８は特性変化の発生によりランプ光量調整を行った状態を表している。
【００３０】
図１６の初期状態においては、必要原稿面照度に応じたランプ光量が１１パルス分の点灯を行うことによって得られるとし、このために休止期間の開始及び終了タイミングの制御条件として点灯休止の開始、終了にそれぞれ２パルス分を休止させるような制御をかけている。
このような設定条件に従って点灯制御が行われる間に、ランプの短期的な特性変化により原稿面照度が低下した場合には画像品質の低下を防止するためにランプ休止期間の設定条件を変えて、光量を制御する。本例では図１７、図１８に示すように、休止期間の終了タイミングのみを原稿面照度が大きくなるように制御する。
図１７に示すように１パルス分休止の終了タイミングを早めることにより１１パルスから１２パルス分に点灯パルスを増やすことができ、ランプの特性変化により初期状態より原稿面照度が低下する場合には、１ライン当りの点灯パルス数を増加させることにより原稿面照度を初期状態に近づけることができる。
図１７の１パルス分休止の終了を早める場合には、終了のタイミングを（１パルス＋１／２パルス）と設定する。この場合には、１．５パルス分である１４．９μｓ×１．５＝２２．４μｓが条件となるから、上述と同様に、周期の始め（ＴＧ‐ＩＮＶの立ち上げ）から３．０μｓ＋２３．５μｓ＋２２．４μｓ＝４８．９μｓ経過後、休止期間を終了するように点灯休止ＧＡＴＥ信号を設定し制御する。この制御によって、光量を増加する調整が行われ、初期状態の光量を補償することが可能になる。
図１７に示すように休止期間の終了タイミングを制御しても原稿面照度の低下が大きい場合には、図１８に示すように休止期間の終了タイミングを制御する。この場合には、初期状態よりも１／２パルス分休止の終了を遅らせるので、終了のタイミングをこの１／２パルスと設定する。この場合には、周期の始め（ＴＧ‐ＩＮＶの立ち上げ）から３．０μｓ＋２３．５μｓ＋７．５μｓ＝３４．０μｓ経過後、休止期間を終了するように点灯休止ＧＡＴＥ信号を設定し制御する。この制御によって、光量をさらに増加する調整が行われ、初期状態の光量を補償することが可能になる。
【図面の簡単な説明】
【００３１】
【図１】本発明の実施形態に係る画像読取装置の全体構成図である。
【図２】図１の画像読取装置における電装部とその制御部の全体ブロック図である。
【図３】図２のＳＣＵによる制御システムの詳細ブロック図である。
【図４】図３のランプ点灯回路部のブロック図である。
【図５】図４におけるインバータ回路の具体化回路構成の一例を示す。
【図６】ランプ点灯回路における制御信号（ライン同期・ランプＯＮ／ＯＦＦ）の関係を表すタイミングチャートである。
【図７】ライン同期ＴＧ‐ＩＮＶ信号と同期化後の光波形の関係を表すタイミングチャートである。
【図８】ライン同期ＴＧ‐ＩＮＶ信号、点灯休止ＧＡＴＥ信号とインバータ出力（光波形）の関係を表すタイミングチャート（実施形態２）である。
【図９】ライン同期ＴＧ‐ＩＮＶ信号、点灯休止ＧＡＴＥ信号とインバータ出力（光波形）の関係を表すタイミングチャート（実施形態５）である。
【図１０】ライン同期ＴＧ‐ＩＮＶ信号と同期化後の光波形の関係を表すタイミングチャートである。
【図１１】ライン同期ＴＧ‐ＩＮＶ信号、点灯休止ＧＡＴＥ信号とインバータ出力（光波形）の関係を表すタイミングチャート（実施形態６）である。
【図１２】図１１における休止期間を変化させたタイミングチャートである。
【図１３】ライン同期ＴＧ‐ＩＮＶ信号、点灯休止ＧＡＴＥ信号とインバータ出力（光波形）の関係を表すタイミングチャート（実施形態８）である。
【図１４】図１３における休止期間を変化させたタイミングチャートである。
【図１５】図１３における休止期間を変化させたタイミングチャートである。
【図１６】ライン同期ＴＧ‐ＩＮＶ信号、点灯休止ＧＡＴＥ信号とインバータ出力（光波形）の関係を表すタイミングチャート（実施形態９）である。
【図１７】図１６における休止期間を変化させたタイミングチャートである。
【図１８】図１６における休止期間を変化させたタイミングチャートである。
【符号の説明】
【００３２】
２，１３３・・・照明ランプ、
７・・・ＳＣＵ（スキャナ  コントローラ  ユニット）、
１０・・・ＳＢＵ（センサ  ボード  ユニット）、
１００・・・ＣＣＤラインイメージセンサ、
１３０・・・定電圧電源、      １３１・・・インバータ、
１３２・・・昇圧トランス、    １３４・・・発振部、
１３５・・・点灯制御部、      １５０・・・白基準板。
【図１】
2005167648.tif 000003
【図２】
2005167648.tif 000004
【図３】
2005167648.tif 000005
【図４】
2005167648.tif 000006
【図５】
2005167648.tif 000007
【図６】
2005167648.tif 000008
【図７】
2005167648.tif 000009
【図８】
2005167648.tif 000010
【図９】
2005167648.tif 000011
【図１０】
2005167648.tif 000012
【図１１】
2005167648.tif 000013
【図１２】
2005167648.tif 000014
【図１３】
2005167648.tif 000015
【図１４】
2005167648.tif 000016
【図１５】
2005167648.tif 000017
【図１６】
2005167648.tif 000018
【図１７】
2005167648.tif 000019
【図１８】
2005167648.tif 000020